(57)【要約】【課題】キャップの防水機能及び取り外しやすさが向上する。【解決手段】水栓用ハンドルの開口部は、外側に開口する大径部と、内側に開口するとともに大径部よりも内径の小さい小径部と、大径部及び小径部を接続する段部とを有している。キャップは、大径部内に配置される蓋部と、小径部に配置されて小径部に係止される係止部とを有し、キャップには、蓋部と係止部との間に、少なくとも小径部と段部とが接する角部に対して全周に亘って当接する当接部が設けられるとともに、蓋部には、蓋部の縁部と大径部の周面との間に角部に達する隙間を形成する切欠き部が設けられている。【選択図】図４
2018071082.tif 000002
【特許請求の範囲】
【請求項１】
水栓本体に固定して使用される水栓用ハンドルであって、
前記水栓本体に取り付けられる取付部と、
前記取付部を遮蔽するカバーと、
前記取付部に設けられ、前記水栓本体に対する前記取付部の固定状態を調整する固定具と、
前記カバーに設けられ、前記カバーの外部から前記固定具を操作するための開口部と、
前記開口部に装着されるキャップとを備え、
前記開口部は、外側に開口する大径部と、内側に開口するとともに前記大径部よりも内径の小さい小径部と、前記大径部及び前記小径部を接続する段部とを有し、
前記キャップは、前記大径部内に配置される蓋部と、前記小径部に配置されて前記小径部に係止される係止部とを有し、
前記キャップには、前記蓋部と前記係止部との間に、少なくとも前記小径部と前記段部とが接する角部に対して全周に亘って当接する当接部が設けられるとともに、前記蓋部には、該蓋部の縁部と前記大径部の周面との間に前記角部に達する隙間を形成する切欠き部が設けられていることを特徴とする水栓用ハンドル。
【請求項２】
前記切欠き部は、前記蓋部の裏面側において中心側に拡張された拡張部分を有し、
前記蓋部の径方向における前記隙間の幅は、前記蓋部の表面側よりも裏面側において大きくなるように構成されている請求項１に記載の水栓用ハンドル。
【請求項３】
前記当接部は、前記小径部の周面における前記角部からの所定範囲に対して全周に亘って面接触している請求項１又は２に記載の水栓用ハンドル。
【発明の詳細な説明】
【技術分野】
【０００１】
本発明は、キャップを装着した水栓用ハンドルに関する。
【背景技術】
【０００２】
従来、特許文献１等に開示された、螺子等の固定具によって水栓本体に固定される水栓用ハンドルには、外部から固定具を操作するための開口部が設けられている。また、こうした開口部には、開口部を通じた水栓用ハンドル内への水の浸入を抑制するために、取り外し可能なキャップが取り付けられている。
【先行技術文献】
【特許文献】
【０００３】
【特許文献１】特許第４３７５８７２号公報
【発明の概要】
【発明が解決しようとする課題】
【０００４】
ところで、特許文献１等の水栓用ハンドルにおいて、キャップには、水栓用ハンドル内への水の浸入を抑制する防水機能に加えて、固定具を操作する際の作業性を向上させるために、取り外しやすい構成であることが求められている。本発明は、こうした実情に鑑みてなされたものであり、その目的は、水栓用ハンドルに関して、キャップによる防水機能の向上及びキャップの取り外しやすさの向上を簡易な構成で実現することにある。
【課題を解決するための手段】
【０００５】
上記課題を解決するための水栓用ハンドルは、水栓本体に固定して使用される水栓用ハンドルであって、前記水栓本体に取り付けられる取付部と、前記取付部を遮蔽するカバーと、前記取付部に設けられ、前記水栓本体に対する前記取付部の固定状態を調整する固定具と、前記カバーに設けられ、前記カバーの外部から前記固定具を操作するための開口部と、前記開口部に装着されるキャップとを備え、前記開口部は、外側に開口する大径部と、内側に開口するとともに前記大径部よりも内径の小さい小径部と、前記大径部及び前記小径部を接続する段部とを有し、前記キャップは、前記大径部内に配置される蓋部と、前記小径部に配置されて前記小径部に係止される係止部とを有し、前記キャップには、前記蓋部と前記係止部との間に、少なくとも前記小径部と前記段部とが接する角部に対して全周に亘って当接する当接部が設けられるとともに、前記蓋部には、該蓋部の縁部と前記大径部の周面との間に前記角部に達する隙間を形成する切欠き部が設けられていることを要旨とする。
【０００６】
この構成によれば、キャップには、蓋部と係止部との間に、少なくとも小径部と段部とが接する角部に対して全周に亘って当接する当接部が設けられるとともに、蓋部には、蓋部の縁部と大径部の周面との間に角部に達する隙間を形成する切欠き部が設けられていることにより、蓋部の縁部と大径部の周面との間に隙間を形成しつつも、その隙間が小径部を連通することを抑制することができる。したがって、隙間を、キャップを取り外す際の工具等の差し込み口として用いることによって、キャップの取り外しやすさを向上させることができるとともに、キャップの防水機能を向上させることができる。
【０００７】
上記水栓用ハンドルについて、前記切欠き部は、前記蓋部の裏面側において中心側に拡張された拡張部分を有し、前記蓋部の径方向における前記隙間の幅は、前記蓋部の表面側よりも裏面側において大きくなるように構成されていることが好ましい。この構成によれば、隙間の奥側において、隙間の幅が大きく構成されているため、工具等の可動範囲を大きくすることができる。これにより、梃子の原理を用いてキャップの取り外しやすさを向上させることができる。また、蓋部の表面側において、隙間を目立たなくすることができるため、水栓用ハンドルの外観を良くすることができる。
【０００８】
上記水栓用ハンドルについて、前記当接部は、前記小径部の周面における前記角部からの所定範囲に対して全周に亘って面接触していることが好ましい。この構成によれば、当接部が接触する領域を大きくすることができるため、キャップの防水機能を効果的に向上させることができる。
【発明の効果】
【０００９】
本発明によれば、キャップの防水機能及び取り外しやすさを向上させることができる。
【図面の簡単な説明】
【００１０】
【図１】実施形態の水栓用ハンドルの斜視図。
【図２】実施形態の水栓用ハンドルと水栓本体の部分断面図及びキャップの拡大図。
【図３】（ａ）は開口部の部分断面図、（ｂ）はキャップが装着された開口部の部分断面図。
【図４】（ａ）は実施形態のキャップの裏側の斜視図、（ｂ）は実施形態のキャップの表側の斜視図。
【図５】キャップが装着された開口部の部分端面部。
【図６】変更例のキャップの斜視図。
【図７】変更例のキャップの斜視図。
【図８】変更例のキャップの斜視図。
【発明を実施するための形態】
【００１１】
以下、本発明の一実施形態を説明する。
図１及び図２に示すように、水栓１０は、キッチン流し台１１の上面に設置された水栓本体１２を備えている。水栓本体１２の内部には、水栓本体１２を流れる湯水の種類や流量等を制御する弁装置１３が設けられるとともに、水栓本体１２の上部には、弁装置１３を操作するための水栓用ハンドル２０が取り付けられている。
【００１２】
水栓用ハンドル２０は、把手を有する本体部２１を備えている。本体部２１の中央下部には、弁装置１３の操作軸１４に取り付けられる取付部２２が設けられるとともに、取付部２２には、取付部２２を操作軸１４に圧接させて、取付部２２を操作軸１４に固定する螺子２３が設けられている。螺子２３の締め付け状態を調整することによって、取付部２２の固定状態を調整することができる。したがって、螺子２３は、水栓本体１２に対する取付部２２の固定状態を調整する固定具として機能している。
【００１３】
本体部２１の下部外周には、取付部２２を囲むカバー２４が設けられている。カバー２４における螺子２３の外側に位置する部分には、カバー２４を貫通する開口部３０が設けられている。この開口部３０に、カバー２４の外部から螺子２３の操作用工具を挿入することによって、螺子２３の締め付け状態を調整することができる。また、開口部３０には、水栓本体１２の内部への水や洗剤の浸入を防止するためのキャップ４０が装着されている。
【００１４】
次に、開口部３０及びキャップ４０の具体的構成について説明する。
図２に示すように、開口部３０は、水栓用ハンドル２０のカバー２４が、水栓本体１２の鉛直方向上方に水栓本体１２と並列して配置されているとき、すなわち、カバー２４の側面が鉛直方向に配置されているとき、カバー２４の内側に向かって上り勾配となるように構成されている。開口部３０が上り勾配となっていることにより、カバー２４に付着した水や洗剤がカバー２４を伝って流れる際に、開口部３０の内部に浸入しにくくなっている。
【００１５】
図３（ａ）において、図中の上下方向が、カバー２４の鉛直方向を示している。また、図中左側がカバー２４の内側を示し、図中右側がカバー２４の外側を示している。開口部３０は、外側に開口する大径部３０Ａと、内側に開口するとともに大径部３０Ａよりも内径の小さい小径部３０Ｂと、大径部３０Ａ及び小径部３０Ｂを接続する段部３０Ｃとを有している。
【００１６】
図４（ａ）、（ｂ）に示すように、キャップ４０は、円形状の蓋部４１と、蓋部４１の裏面側に設けられた円筒状の係止部４２と、蓋部４１と係止部４２との間に設けられた当接部４３とを有している。蓋部４１と係止部４２と当接部４３は、一体に構成されている。キャップ４０の材質は特に限定されるものではないが、樹脂又は熱可塑性エラストマー製であると軽量で且つ耐久性に優れるため好ましい。蓋部４１は、厚さが一端側から他端側に向かって徐々に厚くなるように構成され、他端側に切欠き部４４を有している。ここで、「切欠き部」とは、蓋部４１の厚さ方向において、蓋部４１の一部が切り取られたような形状になっている箇所を意味するものとする。切欠き部４４は、蓋部４１の裏面側において中心側に拡張された拡張部分４５を有しており、拡張部分４５は、係止部４２の外周面と同一平面を有するように構成されている。すなわち、係止部４２の軸方向に直交する方向であって、蓋部４１の一端と他端とを繋ぐ線に沿った方向を第１方向とし、係止部４２の軸方向に直交するとともに、第１方向に直交する方向を第２方向とし、係止部４２の軸方向を第３方向とすると、拡張部分４５は、第３方向における蓋部４１の表面側から裏面側において、第１方向における蓋部４１の他端側から一端側に向かって拡張するように構成されている。切欠き部４４と切欠き部４４の拡張部分４５とにおける第１方向の他端側の面によって縁部４９が構成されている。
【００１７】
図４（ａ）、（ｂ）に示すように、係止部４２は、第３方向に延びる２本のスリット４６の間に弾性変形可能な部分４７が形成されている。弾性変形可能な部分４７の先端に、径方向外側に突出した凸部４８が設けられている。弾性変形可能な部分４７は、係止部４２の径方向に対向する位置に２箇所設けられている。スリット４６における蓋部４１側の端部と、蓋部４１との間の領域が当接部４３として構成されている。
【００１８】
図３（ｂ）に示すように、開口部３０にキャップ４０が装着された際、キャップ４０は、第１方向における蓋部４１の一端側がカバー２４の鉛直方向上方に位置するように装着される。蓋部４１は大径部３０Ａに配置されるとともに、係止部４２は小径部３０Ｂに配置され、小径部３０Ｂと段部３０Ｃとが接する角部３０Ｄに対して全周に亘って当接部４３が接触した状態となる。当接部４３は、角部３０Ｄを含む小径部３０Ｂの周面３１に面接触した状態となる。また、切欠き部４４により、蓋部４１の縁部４９と大径部３０Ａの周面３１との間に隙間５０が形成される。切欠き部４４の拡張部分４５により、蓋部４１の径方向における隙間５０の幅は、蓋部４１の表面側よりも裏面側において大きくなっており、拡張部分４５は、小径部３０Ｂと段部３０Ｃとが接する角部３０Ｄに達している。すなわち、隙間５０の幅は、第３方向における蓋部４１の表面側から裏面側において、第１方向における蓋部４１の他端側から一端側に向かって拡張するように構成されている。
【００１９】
図５に示すように、開口部３０にキャップ４０が装着されると、係止部４２に設けられた凸部４８がカバー２４の内周面に係合することによって、係止部４２は係止される。弾性変形可能な部分４７が弾性変形することにより、凸部４８は第２方向に沿う係止部４２の径方向内側に縮径した状態で小径部３０Ｂの周面３１を通過することができる。また、凸部４８は小径部３０Ｂの周面３１を通過した後、第２方向に沿う係止部４２の径方向外側に拡径して、カバー２４の内周面に係合する。
【００２０】
本実施形態の作用を説明する。
図３（ｂ）に示すように、蓋部４１の縁部４９と大径部３０Ａの周面３１との間に形成された隙間５０が、開口部３０における小径部３０Ｂと段部３０Ｃとが接する角部３０Ｄに達していることにより、隙間５０の形状が、開口部３０の奥側まで延びた形状となる。そのため、この隙間５０を、キャップ４０を取り外す際の工具等の差し込み口として用いると、差し込み口の奥側まで工具を差し込んで操作することができるため、効率良く取り外し操作を行うことができる。また、当接部４３が、小径部３０Ｂと段部３０Ｃとが接する角部３０Ｄに対して全周に亘って接触した状態となるため、小径部３０Ｂを隙間が連通することが抑制されている。
【００２１】
本実施形態の効果を説明する。
（１）キャップ４０には、蓋部４１と係止部４２との間に、少なくとも小径部３０Ｂと段部３０Ｃとが接する角部３０Ｄに対して全周に亘って当接する当接部４３が設けられるとともに、蓋部４１には、蓋部４１の縁部４９と大径部３０Ａの周面３１との間に角部３０Ｄに達する隙間５０を形成する切欠き部４４が設けられている。これにより、蓋部４１の縁部４９と大径部３０Ａの周面３１との間に隙間５０を形成しつつも、その隙間５０が小径部３０Ｂを連通することを抑制することができる。したがって、隙間５０を、キャップ４０を取り外す際の工具等の差し込み口として用いることによって、キャップ４０の取り外しやすさを向上させることができるとともに、キャップ４０の防水機能を向上させることができる。
【００２２】
（２）切欠き部４４は、蓋部４１の裏面側において中心側に拡張された拡張部分４５を有し、蓋部４１の径方向における隙間５０の幅は、蓋部４１の表面側よりも裏面側において大きくなるように構成されている。これにより、隙間５０の奥側において、隙間５０の幅を大きくすることができるため、工具の可動範囲を大きくすることができる。したがって、梃子の原理を用いてキャップ４０の取り外しやすさを向上させることができる。また、蓋部４１の表面側において、隙間５０を目立たなくすることができるため、水栓用ハンドル２０の外観を良くすることができる。
【００２３】
（３）当接部４３は、小径部３０Ｂの周面３１における角部３０Ｄからの所定範囲に対して全周に亘って面接触していることにより、当接部４３が接触する領域を大きくすることができる。したがって、キャップ４０の防水機能を効果的に向上させることができる。
【００２４】
本実施形態は、次のように変更して実施することも可能である。また、上記実施形態の構成や以下の変更例に示す構成を適宜組み合わせて実施することも可能である。
・蓋部４１と係止部４２の形状は、円形状と円筒状に限定されない。楕円形状や多角形状であってもよい。また、蓋部４１の厚さは、一端側から他端側に向かって徐々に厚くなるように構成されていなくてもよい。部分的に厚い部分を設けてもよいし、厚さを一定にしてもよい。
【００２５】
・係止部４２の軸方向に沿った当接部４３の幅は、特に限定されない。スリット４６における蓋部４１側の端部と蓋部４１との間隔を調整することにより、当接部４３の幅を調整することができる。
【００２６】
・図６に示すように、スリット４６における蓋部４１側の端部と蓋部４１との間隔を小さくして、当接部４３が線接触した状態にしてもよい。
・水栓本体１２に対する取付部２２の固定状態を調整する固定具は、螺子２３に限定されない。クリップを用いて取付部２２を操作軸１４に固定してもよい。クリップの強度を変更すれば、取付部２２の固定状態を調整することができる。
【００２７】
・図７に示すように、拡張部分４５の形状は、第３方向における蓋部４１の表面側から裏面側において、第１方向における蓋部４１の他端側から一端側に向かって連続的に拡張するように構成されていてもよい。
【００２８】
・図８に示すように、拡張部分４５の形状は、第３方向における蓋部４１の表面側から裏面側において、第１方向における蓋部４１の他端側から一端側に向かって同じ形状であってもよい。この場合、蓋部４１の縁部４９と大径部３０Ａの周面３１との間に形成される隙間５０の幅は、蓋部４１の表面側と裏面側とで同じになる。蓋部４１の表面側と裏面側とで隙間５０の幅が同じであることにより、蓋部４１の表面側に露出した工具等の差し込み口を大きくすることができるため、工具等が差し込みやすくなる。
【００２９】
・大径部３０Ａと小径部３０Ｂとを接続する段部３０Ｃは、開口部３０の全周に亘って設けられていなくてもよい。例えば、大径部３０Ａの周面３１と小径部３０Ｂの周面３１とが、一部重なっている場合、重なった箇所において段部３０Ｃは設けられない。この場合、他の段部３０Ｃより仮想の段部３０Ｃを想定して、仮想の段部３０Ｃと小径部３０Ｂとが接する角部３０Ｄにキャップ４０の当接部４３が当接するようにすればよい。
【００３０】
・係止部４２は、凸部４８が形成されていなくてもよい。係止部４２を小径部３０Ｂに嵌合させることによって係止してもよい。
次に、上記実施形態及び別例から把握できる技術的思想について、以下に記載する。
【００３１】
（イ）前記開口部は、カバーの側面が鉛直方向に配置されているとき、カバーの内側に向かって上り勾配となるように構成されている水栓用ハンドル。
（ロ）係止部に、凸部が形成されていない水栓用ハンドル。
【符号の説明】
【００３２】
１２…水栓本体、２０…水栓用ハンドル、２２…取付部、２３…固定具（螺子）、２４…カバー、３０…開口部、３０Ａ…大径部、３０Ｂ…小径部、３０Ｃ…段部、３０Ｄ…角部、３１…周面、４０…キャップ、４１…蓋部、４２…係止部、４３…当接部、４４…切欠き部、４９…縁部、５０…隙間。
【図１】
2018071082.tif 000003
【図２】
2018071082.tif 000004
【図３】
2018071082.tif 000005
【図４】
2018071082.tif 000006
【図５】
2018071082.tif 000007
【図６】
2018071082.tif 000008
【図７】
2018071082.tif 000009
【図８】
2018071082.tif 000010